(57)【要約】【課題】見た目や感触といった感覚的な方法による確認であっても容易にかつ正確に位置を特定することができる位置決め装置を提供すること。【解決手段】一端を有する一対の脇紐部（細長部材）３５Ａ，３５Ｂと、一対の脇紐部３５Ａ，３５Ｂと係合され、一端からの一対の脇紐部３５Ａ，３５Ｂの長さを規定するコキ（基準部）３６と、一対の脇紐部３５Ａ，３５Ｂに配された星印（第一目標部）３７Ａと、星印３７Ａの形状、模様若しくは色彩、又は感触とは異なる形状、模様若しくは色彩、又は感触を有して、一対の脇紐部３５Ａ，３５Ｂの長さ方向に星印３７Ａとは異なる位置に配された三角印（第二目標部）３７Ｂと、を備えている。【選択図】図１
2011036646.tif 000002
【特許請求の範囲】
【請求項１】
一端を有する細長部材と、
該細長部材と係合され、前記一端からの前記細長部材の長さを規定する基準部と、
前記細長部材に配された第一目標部と、
前記第一目標部の形状、模様若しくは色彩、又は感触とは異なる形状、模様若しくは色彩、又は感触を有して、前記細長部材の長さ方向に前記第一目標部とは異なる位置に配された第二目標部と、
を備えていることを特徴とする位置決め装置。
【請求項２】
前記基準部が、第一基準部と、
該第一基準部の形状、模様若しくは色彩、又は感触とは異なる形状、模様若しくは色彩、又は感触を有して、前記第一基準部とは異なる位置に配された第二基準部と、
を備えていることを特徴とする請求項１に記載の位置決め装置。
【請求項３】
前記細長部材が前記基準部に挿通されていることを特徴とする請求項１又は２に記載の位置決め装置。
【請求項４】
請求項１から３の何れか一つに記載の位置決め装置が配されていることを特徴とする鞄。
【請求項５】
請求項１から３の何れか一つに記載の位置決め装置が配されていることを特徴とする自転車。
【発明の詳細な説明】
【技術分野】
【０００１】
本発明は、位置決め装置に関する。
【背景技術】
【０００２】
鞄を持ち運ぶ際、装着する人の大きさによって、鞄紐のような細長部材の長さを調整する必要がある。その際、できるだけ調整を容易にかつ確実に行うために、様々な位置決め装置が提案されている（例えば、特許文献１参照。）。
【先行技術文献】
【特許文献】
【０００３】
【特許文献１】特開２００７−１５４３６８号公報
【発明の概要】
【発明が解決しようとする課題】
【０００４】
しかしながら、上記従来の位置決め装置の場合、各係止部の形状が同一であり、一目で判別できないので、他人が長さ調整した後に再び自分に合う長さに調整する際、又は前回と同じ位置に合わせる際に、係合させるべき係止部を特定しづらく、調整に時間がかかる。また、このような位置決め装置が複数箇所に配されている場合、それぞれ同じ長さに調整するのにも時間がかかる。
【０００５】
本発明は上記事情に鑑みて成されたものであり、見た目や感触といった感覚的な方法による確認であっても容易にかつ正確に位置を特定することができる位置決め装置を提供することを目的とする。
【課題を解決するための手段】
【０００６】
本発明は、上記課題を解決するため、以下の手段を採用する。
本発明に係る位置決め装置は、一端を有する細長部材と、該細長部材と係合され、前記一端からの前記細長部材の長さを規定する基準部と、前記細長部材に配された第一目標部と、前記第一目標部の形状、模様若しくは色彩、又は感触とは異なる形状、模様若しくは色彩、又は感触を有して、前記細長部材の長さ方向に前記第一目標部とは異なる位置に配された第二目標部と、を備えていることを特徴とする。
【０００７】
この発明は、細長部材の一端からの長さを基準部で規定する際、基準部と第一目標部又は第二目標部とを係合することにより、一端から基準部までの長さを容易に調整することができる。この際、たとえば、第一目標部又は第二目標部が単に同じ形状の孔として配されている場合には、孔位置の一端からの順番を数えて確認する必要がある。これに対して、第一目標部と第二目標部とは、互いに形状、模様若しくは色彩、又は感触が異なるので、これらを視認・聴認・触認するといった感覚的な方法によって基準部との係合を簡単に間違いなく行うことができる。
【０００８】
また、本発明に係る位置決め装置は、前記位置決め装置であって、前記基準部が、第一基準部と、該第一基準部の形状、模様若しくは色彩、又は感触とは異なる形状、模様若しくは色彩、又は感触を有して、前記第一基準部とは異なる位置に配された第二基準部と、を備えていることを特徴とする。
【０００９】
この発明は、基準部と第一目標部又は第二目標部とを係合させる際、第一基準部又は第二基準部もあわせて視認・聴認・触認することによって、長さ調整をよりきめ細かく確実に行うことができる。
【００１０】
また、本発明に係る位置決め装置は、前記位置決め装置であって、前記細長部材が前記基準部に挿通されていることを特徴とする。
この発明は、細長部材と基準部とを相対移動させることにより、基準部と第一目標部又は第二目標部とをより容易に係合させることができる。
【発明の効果】
【００１１】
本発明によれば、見た目や感触といった感覚的な方法による確認であっても容易にかつ正確に位置を特定することができる。
【図面の簡単な説明】
【００１２】
【図１】本発明の第１の実施形態に係る位置決め装置及びこれが配されたリュックサックを示す概要図である。
【図２】本発明の第１の実施形態に係る位置決め装置の変形例を示す概要図である。
【図３】本発明の第２の実施形態に係る位置決め装置及びこれが配されたサドルを示す概要図である。
【発明を実施するための形態】
【００１３】
（第１の実施形態）
本発明の第１の実施形態について図１を参照しながら説明する。
本実施形態に係る位置決め装置３０は、本体３１と一対の肩紐部３２Ａ，３２Ｂとを備えたリュックサック（鞄）３３に配されている。この位置決め装置３０は、一端３５ａを有して本体３１から脇側に所定長さで延びる一対の脇紐部（細長部材）３５Ａ，３５Ｂと、一対の肩紐部３２Ａ，３２Ｂのそれぞれの先端に配されたコキ（基準部）３６と、一対の脇紐部３５Ａ，３５Ｂに配されてコキ３６と係合される星印（第一目標部）３７Ａ、三角印（第二目標部）３７Ｂ、及び四角印３７Ｃと、を備えている。
【００１４】
コキ３６は、一対の脇紐部３５Ａ，３５Ｂの一端３５ａ側とそれぞれ係合され、一対の脇紐部３５Ａ，３５Ｂの一端３５ａからの長さ、すなわち、肩紐部３２Ａ，３２Ｂと脇紐部３５Ａ，３５Ｂとを合わせた長さを規定する。
【００１５】
星印３７Ａ、三角印３７Ｂ、及び四角印３７Ｃは、一対の脇紐部３５Ａ，３５Ｂの一端３５ａから長さ方向の異なる位置に所定間隔離間してそれぞれ順に配されている。ここで、一対の脇紐部３５Ａ，３５Ｂ間では、一端３５ａから、星印３７Ａ、三角印３７Ｂ、及び四角印３７Ｃまでのそれぞれの距離は同一となっている。
【００１６】
なお、星印３７Ａ、三角印３７Ｂ、及び四角印３７Ｃに限らず、形状、模様若しくは色彩、又は感触が互いに異なるものであれば、これらに限られない。例えば、１，２，３といった異なる数字であったり、象、犬、猫等の動物の図案であったり、赤、青、黄といった異なる色であったり、これらを触って識別可能な程度に凹凸が設けられたものであっても構わない。
【００１７】
次に、本実施形態に係る位置決め装置３０の作用について使用方法とともに説明する。
リュックサック３３を背負う際には、まず、一対の脇紐部３５Ａ，３５Ｂの一端３５ａをコキ３６に挿通して、肩紐部３２Ａ及び脇紐部３５Ａ、並びに肩紐部３２Ｂ及び脇紐部３５Ｂをそれぞれ接続させる。そして、背負い具合を調節するため、一端３５ａからコキ３６までの脇紐部３５Ａ，３５Ｂの長さを調整し、コキ３６と星印３７Ａとを係合させたときが最適な位置である場合には、星印３７Ａを記憶する。この際、肩紐部３２Ａ及び脇紐部３５Ａ、並びに肩紐部３２Ｂ及び脇紐部３５Ｂの長さが、同一長さとして規定される。
【００１８】
一方、体格の異なる別人に同じリュックサック３３を貸して使用させる場合には、体格の違いに応じて肩紐部３２Ａ及び脇紐部３５Ａ、並びに肩紐部３２Ｂ及び脇紐部３５Ｂの一連の長さを変える必要がある。このとき、例えば、コキ３６と三角印３７Ｂとを係合させることにより最適な長さとなる場合、コキ３６に対する一対の脇紐部３５Ａ，３５Ｂの位置を、星印３７Ａから三角印３７Ｂに移動する。これは、同一人物でもリュックサック３３の内容物や体調に応じて長さ変更する場合も同様である。
【００１９】
リュックサック３３を返却してもらい、又は、前回と同じ長さで使用する場合で肩紐部３２Ａ及び脇紐部３５Ａ、並びに肩紐部３２Ｂ及び脇紐部３５Ｂの一連の長さを再度変える場合、コキ３６に対する一対の脇紐部３５Ａ，３５Ｂの位置を三角印３７Ｂから記憶しておいた星印３７Ａに移動して、最適長さを再現する。
【００２０】
この位置決め装置３０によれば、一対の脇紐部３５Ａ，３５Ｂの一端３５ａからの長さをコキ３６で規定する際、コキ３６と星印３７Ａ又は三角印３７Ｂとを係合することにより、一端３５ａからコキ３６までの長さを容易に調整することができる。この際、たとえば、各目印が単に同じ形状の孔として配されている場合、又は目印がわかりにくい場合には、孔位置の順番を数えて確認したり、うろ覚えの記憶に頼ったりする必要があり、記憶違いもあって間違えやすい。これに対して、星印３７Ａ、三角印３７Ｂ、及び四角印３７Ｃは、互いに形状が異なる。そのため、これらを見て確認（視認）、読み上げて確認（聴認）、又は触って確認（触認）するだけで、小さい子供又は視覚障害者であってもコキ３６との係合を簡単に間違いなく行うことができ、いつでも容易に長さ調整を行うことができる。
【００２１】
そして、他人によって一対の脇紐部３５Ａ，３５Ｂの長さが変更され、又は状況に応じて長さを変えた場合でも、自身の使用長さにちょうどよい位置の星印３７Ａ、三角印３７Ｂ、又は四角印３７Ｃを記憶しておくことにより、次回以降も容易に長さ調整することができる。
【００２２】
なお、コキが、肩紐部に沿って互いに異なる位置に配された第一コキ（第一基準部）及び第二コキ（第二基準部）を備えた位置決め装置でもよい。この場合、第一コキの形状、模様若しくは色彩、又は感触が、第二コキの形状、模様若しくは色彩、又は感触と異なる。
【００２３】
この場合、コキと星印３７Ａ、三角印３７Ｂ、又は四角印３７Ｃとを係合させる際、第一コキ又は第二コキも視認・聴認・触認することによって、長さ調整をよりきめ細かく確実に行うことができる。
【００２４】
また、図２に示すように、鞄３８の鞄紐（細長部材）３９の一端３９ａ側に、星印３７Ａ、三角印３７Ｂ、又は四角印３７Ｃが配されているものでも構わない。
この場合も、コキ３６と星印３７Ａ、三角印３７Ｂ、又は四角印３７Ｃを係合させることにより、鞄紐３９の長さを調整することができ、上述と同様の作用・効果を奏することができる。
【００２５】
（第２の実施形態）
次に、第２の実施形態について図３を参照しながら説明する。
なお、上述した第１の実施形態と同様の構成要素には同一符号を付すとともに説明を省略する。
本実施形態に係る位置決め装置４０は、自転車４１のシートポスト４２に対するサドル４３の高さ調整のために配され、一端４５ａを有してサドル４３の下側に配されたサドルレール（細長部材）４５と、一端４５ａからのサドルレール４５の長さを規定するためにシートポスト４２の先端に配されたサドルクランプ（基準部）４６と、を備えている。
【００２６】
サドルレール４５は、サドルクランプ４６に挿通されており、サドルレール４５には、サドルクランプ４６と係合される星印３７Ａ、三角印３７Ｂ、及び四角印３７Ｃが、サドルレール４５の一端４５ａから長さ方向の異なる位置に、所定間隔に離間して配されている。
【００２７】
この位置決め装置４０の作用について使用方法とともに説明する。
サドル４３の高さを調整する際には、サドルクランプ４６を緩めてサドルレール４５がシートポスト４２に対して相対移動可能な状態とする。この際、サドルクランプ４６からのサドルレール４５の突出長さによってサドル４３の高さを調節する。
【００２８】
ここで、例えば、サドルクランプ４６と星印３７Ａとを係合させたときに最適なサドル高さになるものとする。一方、体格の異なる別人が同じ自転車４１を使用する際には、体格の違いに応じて、サドル４３の高さを変える必要がある。このとき、例えば、サドルクランプ４６と三角印３７Ｂとを係合させることにより、上述とは異なる高さを規定する。これは、同一人物でも状況に応じてサドル４３の高さを調整する場合も同様である。
【００２９】
この位置決め装置４０によれば、サドルレール４５とサドルクランプ４６とを相対移動させて、サドルクランプ４６と星印３７Ａ、三角印３７Ｂ、又は四角印３７Ｃとをより容易に係合させることができ、第３の実施形態と同様の効果を奏することができる。
【００３０】
なお、本発明の技術範囲は上記実施の形態に限定されるものではなく、本発明の趣旨を逸脱しない範囲において種々の変更を加えることが可能である。
【符号の説明】
【００３１】
３０，４０  位置決め装置
３３  リュックサック（鞄）
３５Ａ，３５Ｂ  脇紐部（細長部材）
３５ａ，３９ａ，４５ａ  一端
３６  コキ（基準部）
３７Ａ  星印（第一目標部）
３７Ｂ  三角印（第二目標部）
３８  鞄
３９  鞄紐（細長部材）
４１  自転車
４５  サドルレール（細長部材）
４６  サドルクランプ（基準部）
【図１】
2011036646.tif 000003
【図２】
2011036646.tif 000004
【図３】
2011036646.tif 000005